(57)【要約】【課題】制御基板に対して不正な操作が行われることを確実に防止できるようにするとともに、収容体の組立性を大幅に向上させることができるようにする。【解決手段】メイン制御基板２３（制御基板）を基板カバー３３（収容体）の内部に収容した状態では、コネクタ４０が基板カバー３３の開口部３４に挿入されるとともに、基板カバー３３の遮蔽片８１がコネクタ４０の側面４１と防護体６０の側壁６２との間に挿入されるようにし、基板カバー３３の開口部３４から針金等を挿入したとしても、コネクタ４０の側面４１、基板カバー３３の遮蔽片８１、及び防護体６０の側壁６２を障壁とすることで、基板カバー３３の内部のメイン制御基板２３に対する配線の短絡等の不正な操作を防止できるようにした。【選択図】図７
2006081559.tif 000002
【特許請求の範囲】
【請求項１】
遊技機を制御する制御基板と、
前記制御基板と外部機器とを電気的に接続するためのものであって、前記制御基板上に実装されたコネクタと、
前記制御基板を内部に収容する収容体と
を備える遊技機の制御装置であって、
前記コネクタは、前記コネクタの側面を囲繞する防護体を備え、
前記収容体は、前記コネクタを挿入可能な開口部と、前記開口部に形成された遮蔽片とを有しており、
前記制御基板を前記収容体の内部に収容した状態では、前記コネクタが前記収容体の前記開口部に挿入されるとともに、前記収容体の前記遮蔽片が前記コネクタの側面と前記防護体との間に挿入される
ことを特徴とする遊技機の制御装置。
【請求項２】
請求項１に記載の遊技機の制御装置において、
前記防護体は、前記コネクタを挿入可能な上面開口部と、前記コネクタの側面を囲繞可能な側壁と、前記コネクタを前記制御基板に装着するための下面開口部とを有する
ことを特徴とする遊技機の制御装置。
【請求項３】
請求項１又は請求項２に記載の遊技機の制御装置において、
前記防護体は、前記防護体を前記コネクタの下面と前記制御基板の上面との間に挟み込んで固定するための固定片を有する
ことを特徴とする遊技機の制御装置。
【請求項４】
請求項１から請求項３までのいずれか１項に記載の遊技機の制御装置において、
前記収容体は、複数の前記コネクタを同時に挿入可能な開口部を有し、
前記防護体は、複数の前記コネクタを同時に挿入可能な上面開口部を有する
ことを特徴とする遊技機の制御装置。
【請求項５】
請求項１から請求項４までのいずれか１項に記載の遊技機の制御装置において、
前記収容体は、前記遮蔽片を囲繞する補助遮蔽片を有しており、
前記防護体は、前記収容体の前記遮蔽片と前記補助遮蔽片との間に挿入される
ことを特徴とする遊技機の制御装置。
【請求項６】
請求項１から請求項５までのいずれか１項に記載の遊技機の制御装置において、
前記収容体又は前記防護体は、透明樹脂からなる
ことを特徴とする遊技機の制御装置。
【請求項７】
請求項１から請求項６までのいずれか１項に記載の遊技機の制御装置において、
前記制御基板を載置する支持体を備え、
前記収容体は、前記支持体の一端側に、回転可能に連結されている
ことを特徴とする遊技機の制御装置。
【請求項８】
請求項１から請求項７までのいずれか１項に記載の遊技機の制御装置において、
前記遊技機は、図柄変動表示装置を有する弾球遊技機であり、
前記制御基板は、前記図柄変動表示装置に表示された図柄の変動を制御する
ことを特徴とする遊技機の制御装置。
【請求項９】
請求項１から請求項７までのいずれか１項に記載の遊技機の制御装置において、
前記遊技機は、図柄を表示したリールを有するスロットマシンであり、
前記制御基板は、前記リールの回転を制御する
ことを特徴とする遊技機の制御装置。
【発明の詳細な説明】
【技術分野】
【０００１】
本発明は、遊技機の制御基板を収容体の内部に収容した遊技機の制御装置に係るものであり、詳しくは、収容体の外部から、内部の制御基板に対して不正な操作が行われることを確実に防止できるようにするとともに、収容体の組立性を大幅に向上させることができるようにした技術に関するものである。
【背景技術】
【０００２】
従来、弾球遊技機やスロットマシン等の遊技機における出玉に関する制御は、メイン制御基板と呼ばれる制御基板によって行われている。また、近年の遊技機では、メイン制御基板以外に、出玉に関する制御を実質的に行うサブ制御基板と呼ばれる制御基板が設けられている場合もある。
【０００３】
そして、このような遊技機において、メイン制御基板又はサブ制御基板の制御プログラムや入出力信号等に対し、プログラムの改ざん、外部からの不正な信号の付与等をすることにより、本来の遊技と異なる適正でない遊技を実行させるという不正行為が問題となっている。
【０００４】
図９は、従来の遊技機の制御装置に使用するメイン制御基板２３の一例を示す斜視図である。
図９に示すように、メイン制御基板２３には、各種の電子部品が実装されているとともに、メイン制御基板２３と外部機器（図示せず）とを電気的に接続するための複数のコネクタ４０及びコネクタ５０が装着されている。
【０００５】
ここで、メイン制御基板２３がそのまま外部に露出した状態であると、制御ＲＯＭ等の電子部品が正規品以外のものに交換されるおそれがある。また、各種の電子部品、各コネクタ４０、及び各コネクタ５０は、メイン制御基板２３にプリントされた配線パターンによって相互に接続されているため、配線パターンに対する不正な部品の接続や、配線の短絡等を行うことも可能である。すなわち、メイン制御基板２３に対して不正な操作が実行されることが考えられるのであり、そのような行為を効果的に防止できなければ、遊技店等で大きな被害が出てしまう。
【０００６】
そこで、メイン制御基板２３等の制御基板を透明樹脂からなる収容体の内部に収容し、この収容体の不正開放を禁止するための手段を講じることにより、収容体を容易に開放できないようにして、メイン制御基板２３等に対する不正な操作の実行を防止する技術が知られている。
【０００７】
図１０は、このような従来の遊技機の制御装置３０を示す平面図である。
図１０に示すように、この制御装置３０は、基板カバー３３（収容体）の内部に、複数のコネクタ４０及びコネクタ５０が装着されたメイン制御基板２３（図９参照）を収容したものである。
【０００８】
ここで、基板カバー３３は、一端側がヒンジ３５によって回転可能に連結されており、他端側がロック部材３９によって封止されている。そのため、図１０に示す制御装置３０は、基板カバー３３の不正開放が禁止され、その結果、メイン制御基板２３に実装された電子部品の不正な交換等を防ぐことができる。
【０００９】
ところが、基板カバー３３の不正開放の禁止により、メイン制御基板２３の電子部品を直接交換してプログラムを改ざんする等の形態の不正行為は防止できるが、メイン制御基板２３にプリントされた配線パターンに対して外部から不正な信号を付与する等の形態の不正行為は防げない。
【００１０】
すなわち、メイン制御基板２３に実装されたコネクタ４０及びコネクタ５０の周辺部については、コネクタ４０及びコネクタ５０によってメイン制御基板２３と外部機器（図示せず）とを電気的に接続する関係から、基板カバー３３には、コネクタ４０又はコネクタ５０を挿入可能な開口部３４がそれぞれ形成されている。
【００１１】
そのため、開口部３４とコネクタ４０の側面との間や、開口部３４とコネクタ５０の側面との間に隙間が生じることとなり、コネクタ４０及びコネクタ５０と電子部品とを結ぶ配線パターンが部分的に露出する。その結果、この露出部分に不正な部品の接続や、配線の短絡等を行うことが可能となり、適正でない遊技を実行させるおそれが残ってしまうのである。
【００１２】
このように、メイン制御基板２３を基板カバー３３の内部に収容したとしても、メイン制御基板２３に実装されたコネクタ４０及びコネクタ５０の周辺部が問題として残る。そのため、コネクタ４０及びコネクタ５０の周辺部を含め、基板カバー３３の外部から、内部のメイン制御基板２３に対して不正な操作が行われることを確実に防止できる技術が強く要望されている。
【００１３】
そこで、最近では、開口部３４とコネクタ４０の側面との隙間や、開口部３４とコネクタ５０の側面との隙間を極力狭くした基板カバー３３（収容体）を用いる技術が知られている。すなわち、この技術を用いた収容体は、メイン制御基板２３等の各種の制御基板を外部から透視可能な構造を有しており、この収容体に、制御基板と接する段部を設けるとともに、この段部に、コネクタが嵌合する開口部を設けている。そして、開口部の周囲をコネクタに近接させて、プリント配線パターンが露出しないようにするとともに、段部により、コネクタの周辺部のプリント配線パターンを覆うように構成している（例えば、特許文献１参照）。
【特許文献１】特許第２９０５７７３号公報
【００１４】
上記の特許文献１に記載の技術によれば、収容体の外部から、内部の制御基板を容易に透視することができるので、制御基板に実装された電子部品が不正に交換等された場合であっても、その事実を容易に発見することができる。
また、収容体の開口部の周囲がコネクタに近接しているので、開口部から、制御基板の配線パターンに対して不正な操作を実行することも防止できる。
【発明の開示】
【発明が解決しようとする課題】
【００１５】
しかし、上記の特許文献１に記載の技術では、収容体の段部に、コネクタが嵌合する開口部を設けているので、コネクタの配置が異なる制御基板ごとに、別々の収容体が必要となってしまう。そのため、収容体の生産性や経済性等に問題がある。
また、収容体の開口部の周囲をコネクタに近接させればさせるほど、開口部へのコネクタの挿入が難しくなるので、制御基板の上側から収容体を被せることが困難となり、収容体の組立性が悪化するという問題がある。
【００１６】
一方、収容体の組立性を考慮して、制御基板の上側から収容体を被せるのではなく、図１０に示すように、ヒンジ３５を利用して収容体（基板カバー３３）を回転させることにより、制御基板（メイン制御基板２３）を簡単に内部に収容できるようにした技術も知られている。
【００１７】
しかし、このような形態の収容体であると、開口部とコネクタとの間に、回転半径に応じた隙間が必要となることから、開口部の周囲とコネクタとの近接程度に限界が生ずる。そのため、上記の特許文献１に記載の技術では、このようなヒンジを利用して開閉させる形態の収容体に適用することができず、収容体の組立性を向上させることができないという問題がある。
【００１８】
したがって、本発明が解決しようとする課題は、コネクタの周辺部を含めて、収容体の外部から、内部の制御基板に対して不正な操作が行われることを確実に防止できるようにするとともに、ヒンジを利用して開閉させる形態の収容体にも適用可能とすることで、収容体の組立性を大幅に向上させることができるようにした遊技機の制御装置を提供することである。
【課題を解決するための手段】
【００１９】
本発明は、以下の解決手段によって、上述の課題を解決する。
請求項１の発明は、遊技機を制御する制御基板と、前記制御基板と外部機器とを電気的に接続するためのものであって、前記制御基板上に実装されたコネクタと、前記制御基板を内部に収容する収容体とを備える遊技機の制御装置であって、前記コネクタは、前記コネクタの側面を囲繞する防護体を備え、前記収容体は、前記コネクタを挿入可能な開口部と、前記開口部に形成された遮蔽片とを有しており、前記制御基板を前記収容体の内部に収容した状態では、前記コネクタが前記収容体の前記開口部に挿入されるとともに、前記収容体の前記遮蔽片が前記コネクタの側面と前記防護体との間に挿入されることを特徴とする。
【００２０】
請求項２の発明は、請求項１に記載の遊技機の制御装置において、前記防護体は、前記コネクタを挿入可能な上面開口部と、前記コネクタの側面を囲繞可能な側壁と、前記コネクタを前記制御基板に装着するための下面開口部とを有することを特徴とする。
【００２１】
請求項３の発明は、請求項１又は請求項２に記載の遊技機の制御装置において、前記防護体は、前記防護体を前記コネクタの下面と前記制御基板の上面との間に挟み込んで固定するための固定片を有することを特徴とする。
【００２２】
請求項４の発明は、請求項１から請求項３までのいずれか１項に記載の遊技機の制御装置において、前記収容体は、複数の前記コネクタを同時に挿入可能な開口部を有し、前記防護体は、複数の前記コネクタを同時に挿入可能な上面開口部を有することを特徴とする。
【００２３】
請求項５の発明は、請求項１から請求項４までのいずれか１項に記載の遊技機の制御装置において、前記収容体は、前記遮蔽片を囲繞する補助遮蔽片を有しており、前記防護体は、前記収容体の前記遮蔽片と前記補助遮蔽片との間に挿入されることを特徴とする。
【００２４】
請求項６の発明は、請求項１から請求項５までのいずれか１項に記載の遊技機の制御装置において、前記収容体又は前記防護体は、透明樹脂からなることを特徴とする。
【００２５】
請求項７の発明は、請求項１から請求項６までのいずれか１項に記載の遊技機の制御装置において、前記制御基板を載置する支持体を備え、前記収容体は、前記支持体の一端側に、回転可能に連結されていることを特徴とする。
【００２６】
請求項８の発明は、請求項１から請求項７までのいずれか１項に記載の遊技機の制御装置において、前記遊技機は、図柄変動表示装置を有する弾球遊技機であり、前記制御基板は、前記図柄変動表示装置に表示された図柄の変動を制御することを特徴とする。
【００２７】
請求項９の発明は、請求項１から請求項７までのいずれか１項に記載の遊技機の制御装置において、前記遊技機は、図柄を表示したリールを有するスロットマシンであり、前記制御基板は、前記リールの回転を制御することを特徴とする。
【００２８】
上記の各発明においては、コネクタの側面を囲繞する防護体を備えている。そして、収容体の遮蔽片がコネクタの側面と防護体の側壁との間に挿入される。すなわち、コネクタの側面の周囲は、収容体側から制御基板側に向かう遮蔽片で囲まれ、遮蔽片の周囲は、制御基板側から収容体側に向かう防護体の側壁で囲まれる。そのため、断面で考えると、上向きのコネクタの側面と、下向きの収容体の遮蔽片と、上向きの防護体の側壁とが交互に存在することとなる。
【００２９】
したがって、コネクタの側面と収容体の遮蔽片との間や、収容体の遮蔽片と防護体の側壁との間にそれぞれ隙間があっても、収容体の外部からは、千鳥状をなして配置されたコネクタの側面、収容体の遮蔽片、及び防護体の側壁の間をくぐり抜けて行かなければ、内部の制御基板に到達することができず、その結果、収容体の内部の制御基板に対する不正な部品の接続等が防止される。
【００３０】
また、収容体の開口部を、その開口部に挿入するコネクタに対してある程度大きくすることができるので、制御基板を載置する支持体に対し、ヒンジ等を利用して回転可能に連結された収容体であっても、収容体の組立てに際してコネクタが支障とならず、簡単に、収容体の内部に制御基板を収容することができる。
【００３１】
ここで、防護体は、例えば、コネクタを挿入可能な上面開口部と、コネクタの側面を囲繞可能な側壁と、コネクタを制御基板に装着するための下面開口部とを有するものである。なお、このような防護体は、制御基板から外れることがないように固定しておく必要があるが、この際、防護体に固定片を設け、この固定片をコネクタの下面と制御基板の上面との間に挟み込むようにすれば、コネクタを制御基板に装着すると同時に、防護体を固定することができる。
【００３２】
また、収容体の開口部に複数のコネクタを同時に挿入可能とするとともに、防護体の上面開口部に複数のコネクタを同時に挿入可能としておけば、コネクタの配置が異なる制御基板を収容する場合であっても、コネクタの配置に応じた別々の防護体を用意するだけで良くなる。そのため、このような防護体を用いれば、コネクタの配置が異なる各種の制御基板に対して収容体を共通化することができる。
【００３３】
さらに、収容体に、遮蔽片を囲繞する補助遮蔽片を設け、防護体の側壁が収容体の遮蔽片と補助遮蔽片との間に挿入されるようにすれば、上向きの防護体の側壁の周囲も下向きの補助遮蔽片で囲まれる。すると、補助遮蔽片も千鳥状をなして配置されるので、不正な部品の接続等を一層確実に防止できるようになる。
【００３４】
さらにまた、収容体又は防護体を透明樹脂で形成すれば、収容体の内部又は防護体の周辺部の制御基板に実装された電子部品の不正な交換等を容易に発見することができるようになる。すなわち、収容体を開けることなく、収容体の外部から、内部の制御基板を容易に透視することができるので、制御基板に実装された電子部品が正規品であるか否かが一目瞭然となる。ここで、不正行為の発見のためには、収容体及び防護体の両方を透明樹脂で形成することが好ましい。
【００３５】
なお、このような制御装置を用いる遊技機は、図柄変動表示装置を有する弾球遊技機であっても、図柄を表示したリールを有するスロットマシンであっても良く、弾球遊技機の場合の制御基板は、図柄変動表示装置に表示された図柄の変動を制御し、スロットマシンの場合の制御基板は、リールの回転を制御する。ここで、弾球遊技機であってもスロットマシンであっても、制御基板は、メイン制御基板及びサブ制御基板の両方を含むことは当然である。
【発明の効果】
【００３６】
本発明の遊技機の制御装置によれば、コネクタの側面を囲繞する防護体を備え、収容体の遮蔽片がコネクタの側面と防護体との間に挿入されるので、コネクタの側面と収容体の遮蔽片との間や、収容体の遮蔽片と防護体との間にそれぞれ隙間があっても、収容体の外部から、内部の制御基板に不正な部品を接続等することが困難となる。そのため、本発明の遊技機の制御装置は、収容体の内部の制御基板に対する不正な操作を確実に防止することができる。
【００３７】
また、ヒンジ等を利用して回転させる形態の収容体であっても、コネクタの側面と収容体の遮蔽片との間、及び収容体の遮蔽片と防護体との間にそれぞれ隙間を設けることにより、簡単に、収容体の内部に制御基板を収容することができる。そのため、収容体の組立性等を大幅に向上させることができる。
【発明を実施するための最良の形態】
【００３８】
以下、図面を参照して、本発明の一実施形態について説明する。
なお、以下の実施形態では、本発明の遊技機の制御装置を適用した遊技機として、図柄変動表示装置を有する弾球遊技機を例に挙げて説明する。
【００３９】
図１は、本発明の遊技機の制御装置を適用した弾球遊技機１０の表面側（遊技者側）を示す正面図である。
図１に示すように、弾球遊技機１０の遊技領域１１には、図柄変動表示装置１２、発射装置から発射された遊技球の特定入賞口１３、大入賞口１４、及びアウト口１５等が配置されている。
【００４０】
ここで、特定入賞口１３は、図柄変動表示装置１２の図柄の変動開始条件となる入賞口である。すなわち、この特定入賞口１３への遊技球の入賞により、弾球遊技機１０の内部で抽選が行われるとともに、その抽選結果に基づいて、図柄変動表示装置１２の図柄の変動表示が行われる。
一方、大入賞口１４は、図柄変動表示装置１２により表示された図柄の組合せが所定の停止態様となった場合、例えば、Ａ−Ａ−ＡのようにＡの図柄が揃った場合に開放して、遊技球が入賞可能となる入賞口である。
【００４１】
次に、図１に示す弾球遊技機１０の遊技概要について簡単に説明する。
先ず、遊技者の操作によって発射装置が駆動され、遊技球が遊技領域１１内に進入すると、この遊技球は、釘や風車等に接触して落下方向を変えながら、上記の入賞口（特定入賞口１３等）に入り込むか、又はアウト口１５に送られる。そして、この遊技球が入賞口に入賞した場合には、所定個数の遊技球（賞球）が払出し装置から払い出されることとなる。
【００４２】
特に、特定入賞口１３に入賞した場合には、遊技球（賞球）の払出しに加えて、図柄変動表示装置１２に表示された図柄が所定の変動表示をした後に停止表示するという遊技が行われる。そして、この遊技の結果、すなわち、停止表示した図柄の組合せが予め定められた図柄の組合せとなった場合には、大入賞口１４が開放し、遊技者に利益を与えやすくなる大当たり遊技が行われる。
【００４３】
図２は、本発明の遊技機の制御装置を適用した弾球遊技機１０の裏面側を示す正面図である。
図２に示すように、弾球遊技機１０の裏面側には、賞球タンク２１や、収容体の内部に収容された各種の制御基板等が実装されており、例えば、弾球遊技機１０の右下部には、電源ユニット２２が配置されている。そして、弾球遊技機１０の外部から供給された電源は、過電流遮断装置（ヒューズ）等の所要の電気部品を介して電源ユニット２２に供給され、この電源ユニット２２により、弾球遊技機１０に設けられた各種の制御基板等に所要の電源が供給される。
【００４４】
ここで、図２に示す弾球遊技機１０には、制御基板として、メイン制御基板２３、球搬出制御基板２４、及びサブ制御基板２５の３つが設けられている。そして、メイン制御基板２３、球搬出制御基板２４、及びサブ制御基板２５は、それぞれ別々の収容体の内部に収容されており、各収容体は、容易に開放できないようになっている。
【００４５】
このメイン制御基板２３は、上述したような遊技の進行等を制御する基板であり、演算等を行うＣＰＵ、遊技プログラムを記憶したＲＯＭ、及びデータを一時的に記憶するＲＡＭ等の電子部品を備えている。
また、球搬出制御基板２４は、遊技球の搬出を制御する基板であり、ＣＰＵ、モータの駆動パターンを記憶するＲＯＭ等の電子部品を備えている。
【００４６】
一方、サブ制御基板２５は、演出の出力を制御する基板であり、サウンドの出力、ランプ類の点灯、図柄変動表示装置１２（図１参照）による図柄の変動表示等の制御を行うものであって、メイン制御基板２３と同様に、ＣＰＵ、ＲＯＭ、及びＲＡＭ等の電子部品を備えている。
【００４７】
そして、例えば、メイン制御基板２３は、球搬出制御基板２４、及びサブ制御基板２５等と図示しないハーネス（配線束）により接続され、このハーネスとの電気的な接続のために、メイン制御基板２３、球搬出制御基板２４、及びサブ制御基板２５には、それぞれコネクタが備えられている。
【００４８】
次に、本発明の遊技機の制御装置の実施形態について説明する。
（第１実施形態）
図３は、第１実施形態の遊技機の制御装置３０を示す斜視図であり、基板ベース３１に対して、基板カバー３３が開いた状態を示す図である。
図４は、第１実施形態の遊技機の制御装置３０を示す斜視図であり、基板ベース３１に対して、基板カバー３３を閉じた状態を示す図である。
【００４９】
図３及び図４に示す基板ベース３１は、本発明における支持体に相当するものであり、透明なＡＢＳ樹脂の成形品からなっている。また、基板カバー３３は、本発明における収容体に相当するものであり、同じく透明なＡＢＳ樹脂の成形品からなっている。そして、この基板カバー３３は、基板ベース３１の一端側に、回転可能に連結されている。すなわち、基板ベース３１の１つの短辺側の側壁３１ａと、基板カバー３３の１つの短辺側の側壁３３ａとがヒンジ３５によって回転可能に連結されている。そのため、基板カバー３３は、基板ベース３１に対して、ヒンジ３５を中心に回転する。
【００５０】
また、図３に示すように、基板ベース３１には、縦横のリブ３２が形成されている。このリブ３２は、後述するメイン制御基板２３を載置するものである。すなわち、図３に示す基板ベース３１のリブ３２上にメイン制御基板２３を載置し、開いた状態となっている基板カバー３３を回転させて閉じれば、図４に示すように、基板ベース３１の上面側が全面的に基板カバー３３で覆われ、基板カバー３３の内部にメイン制御基板２３が収容された略箱形の形状となる。なお、この際、メイン制御基板２３に実装された各コネクタ４０及び各コネクタ５０は、基板カバー３３の開口部３４に挿入され、基板カバー３３の外部に露出する。
【００５１】
ここで、基板カバー３３の長辺側の両側壁３３ｃ，３３ｄには、一対の把持突起３６が形成されている。すなわち、基板カバー３３を閉じる際に、この把持突起３６を把持部として利用することができるようになっている。
【００５２】
また、基板ベース３１の長辺側の両側壁３１ｃ，３１ｄには、一対の嵌合フック３７が設けられており、基板カバー３３の長辺側の両側壁３３ｃ，３３ｄには、一対の嵌合突起３８が形成されている。そのため、図３に示す開いた状態の基板カバー３３を閉じれば、嵌合フック３７と嵌合突起３８とが嵌まり合い、図４に示すように、基板ベース３１と基板カバー３３とが一体化する。
【００５３】
さらに、基板ベース３１の他の短辺側の側壁３１ｂと、基板カバー３３の他の短辺側の側壁３３ｂとは、ロック部材３９によって封止される。すなわち、ロック部材３９の側面には、一対のベースロック爪３９ａと一対のカバーロック爪３９ｂとが形成されている。そして、基板ベース３１の側壁３１ｂに設けられたロックボックス３１ｅにこのロック部材３９を一度挿入してしまえば、ロックボックス３１ｅ内にロック部材３９のベースロック爪３９ａが嵌まり込み、ロックボックス３１ｅからロック部材３９が二度と抜けないようになる。
【００５４】
続いて、この状態で基板カバー３３を一度閉じてしまえば、基板カバー３３の側壁３３ｂに設けられたロックボックス３３ｅ内にロック部材３９のカバーロック爪３９ｂが嵌まり込み、ロック部材３９からロックボックス３３ｅが二度と抜けないようになる。そのため、ロックボックス３１ｅやロックボックス３３ｅ等を破壊しない限り、基板カバー３３の開放は不可能となり、不正開放を簡単に禁止することができる。
【００５５】
このように、第１実施形態の遊技機の制御装置３０は、基板カバー３３を閉じるだけで簡単に、基板カバー３３の不正開放が禁止され、基板カバー３３の内部のメイン制御基板２３に実装された電子部品が正規品以外のものに交換されることを防止できる。
また、基板ベース３１及び基板カバー３３が透明なので、仮に電子部品の不正な交換等がなされたとしても、その事実を容易に発見することができる。
【００５６】
次に、第１実施形態の遊技機の制御装置３０におけるコネクタ４０及びコネクタ５０の周辺部の構造について詳細に説明する。
図５は、第１実施形態の遊技機の制御装置に使用するメイン制御基板２３を示す斜視図である。
図６は、第１実施形態の遊技機の制御装置に使用する防護体６０及び防護体７０を示す斜視図である。
【００５７】
図５に示すように、メイン制御基板２３には、各種の電子部品が実装されているとともに、メイン制御基板２３と外部機器（図示せず）とを電気的に接続するための複数のコネクタ４０及びコネクタ５０が実装されている。そして、各コネクタ４０の周囲は、それぞれ図６（ａ）に示す防護体６０によって囲まれ、各コネクタ５０は、図６（ｂ）に示す１つの防護体７０によって囲まれている。
【００５８】
ここで、図６（ａ）に示す防護体６０は、０．５ｍｍ厚のアルミからなる略箱形のものであり、個々のコネクタ４０（図５参照）を挿入可能な上面開口部６１と、コネクタ４０の側面を囲繞可能な側壁６２と、コネクタ４０をメイン制御基板２３（図５参照）に装着するための下面開口部６３とを有している。また、防護体６０は、防護体６０をコネクタ４０の下面とメイン制御基板２３の上面との間に挟み込んで固定するための固定片６４を有している。
【００５９】
そして、各コネクタ４０を直接メイン制御基板２３に装着するのではなく、各コネクタ４０をそれぞれ、図６（ａ）に示す防護体６０の上面開口部６１に１つずつ挿入し、それぞれのコネクタ４０の下面とメイン制御基板２３の上面との間に固定片６４を挟み込み、下面開口部６３を通して各コネクタ４０をメイン制御基板２３に装着する。すると、図５に示すように、各コネクタ４０の周囲がそれぞれ図６（ａ）に示す防護体６０によって囲まれたメイン制御基板２３となる。
【００６０】
一方、図６（ｂ）に示す防護体７０は、０．５ｍｍ厚のアルミからなる略箱形のものであり、複数のコネクタ５０（図５参照）を同時に挿入可能な上面開口部７１と、それぞれのコネクタ５０の長辺側の側面を同時に囲繞可能な側壁７２と、個々のコネクタ５０をメイン制御基板２３（図５参照）に装着するための複数の下面開口部７３とを有している。また、防護体７０は、防護体７０をそれぞれのコネクタ５０の下面とメイン制御基板２３の上面との間に挟み込んで固定するための固定片７４を有している。
【００６１】
そして、各コネクタ５０を直接メイン制御基板２３に装着するのではなく、各コネクタ５０を同時に、図６（ｂ）に示す１つの防護体７０の上面開口部７１に挿入し、それぞれのコネクタ５０の下面とメイン制御基板２３の上面との間に固定片７４を挟み込み、下面開口部７３を通して各コネクタ５０をメイン制御基板２３に装着する。すると、図５に示すように、各コネクタ５０の周囲がそれぞれ図６（ｂ）に示す防護体７０によって囲まれたメイン制御基板２３となる。
【００６２】
図７は、第１実施形態の遊技機の制御装置３０を示す部分断面図であり、メイン制御基板２３を基板カバー３３の内部に収容した状態を示す図である。
なお、図７では、コネクタ４０を防護体６０（図６（ａ）参照）に挿入しているが、この関係は、コネクタ５０と防護体７０（図６（ｂ）参照）との間でも同様である。すなわち、コネクタ５０を防護体７０に挿入しても、図７に示すようになる（この場合の符号をカッコ書きで示す）。
【００６３】
図７に示すように、コネクタ４０を防護体６０の上面開口部６１に挿入してメイン制御基板２３に装着すると、防護体６０の固定片６４がコネクタ４０の下面とメイン制御基板２３の上面との間に挟み込まれる。そのため、防護体６０が固定される。また、コネクタ４０の側面４１は、防護体６０の側壁６２によって囲繞される。
【００６４】
そして、図７に示すように、防護体６０を介してコネクタ４０が実装されたメイン制御基板２３を基板カバー３３の内部に収容した状態では、コネクタ４０が基板カバー３３の開口部３４に挿入され、コネクタ４０の上面４２が基板カバー３３の外部に露出する。したがって、露出したコネクタ４０の上面４２に図示しないハーネス（配線束）を接続すれば、メイン制御基板２３と外部機器とが電気的に接続される。
【００６５】
ここで、基板カバー３３は、コネクタ４０を挿入する開口部３４の口縁に遮蔽片８１が形成されたものとなっている。この遮蔽片８１は、メイン制御基板２３を基板カバー３３の内部に収容した状態では、コネクタ４０の側面４１と防護体６０の側壁６２との間に挿入される。すると、コネクタ４０の側面４１の周囲は、基板カバー３３の遮蔽片８１で囲まれ、この遮蔽片８１の周囲は、防護体６０の側壁６２で囲まれる。
【００６６】
そのため、基板カバー３３の開口部３４の周辺では、図７に示すように、上向きのコネクタ４０の側面４１と、下向きの基板カバー３３の遮蔽片８１と、上向きの防護体６０の側壁６２とが交互に存在することとなる。そして、コネクタ４０の側面４１と基板カバー３３の遮蔽片８１との隙間、及びこの遮蔽片８１と防護体６０の側壁６２との隙間は、それぞれ２ｍｍ以下の狭い間隔となっている。
【００６７】
したがって、第１実施形態の遊技機の制御装置３０は、基板カバー３３の開口部３４から針金等を挿入したとしても、千鳥状をなして配置されたコネクタ４０の側面４１、基板カバー３３の遮蔽片８１、及び防護体６０の側壁６２の間をくぐり抜けて行かなければ、基板カバー３３の内部に収容されたメイン制御基板２３に到達することができない。その結果、メイン制御基板２３にプリントされた配線パターンに対する配線の短絡や、不正な部品の接続等を防止できるようになる。
【００６８】
また、前述した通り、第１実施形態の遊技機の制御装置３０は、基板カバー３３と基板ベース３１（図３参照）とが回転可能に連結されている。そして、上記したように、基板カバー３３の遮蔽片８１とコネクタ４０の側面４１との間には隙間があり、この隙間は、基板カバー３３の回転半径に応じたものとなっている。同様に、基板カバー３３の遮蔽片８１と防護体６０の側壁６２との間にも隙間があり、この隙間も、基板カバー３３の回転半径に応じたものとなっている。
【００６９】
したがって、第１実施形態の遊技機の制御装置３０では、基板ベース３１（図３参照）の上にメイン制御基板２３を載置し、その後、基板カバー３３を閉じるようにしても、基板カバー３３の遮蔽片８１とコネクタ４０の側面４１、及び基板カバー３３の遮蔽片８１と防護体６０の側壁６２とが衝突しない。その結果、基板カバー３３を閉じるだけでメイン制御基板２３を基板カバー３３の内部に収容することが可能となり、簡単に、制御装置３０を組み立てることができるようになる。
【００７０】
ところで、第１実施形態の遊技機の制御装置３０では、コネクタ４０を防護体６０（図６（ａ）参照）で囲繞し、コネクタ５０を防護体７０（図６（ｂ）参照）で囲繞しているが、コネクタ４０を防護体７０で囲繞したり、コネクタ５０を防護体６０で囲繞することもできる。
【００７１】
ただし、防護体７０を使用する場合には、基板カバー３３の開口部３４も防護体７０に合わせて大きくしておく。すなわち、開口部３４を大きく形成し、例えば、複数のコネクタ５０を同時に挿入可能とする。そして、遮蔽片８１は、この大きな１つの開口部３４の口縁に形成する。
【００７２】
すると、図７に示すように（符号はカッコ書き）、遮蔽片８１が複数のコネクタ５０の長辺側のそれぞれの側面５１と防護体７０の側壁７２との間に挿入されることとなり、各コネクタ５０の長辺側の側面５１の周囲は、基板カバー３３の遮蔽片８１で囲まれ、この遮蔽片８１の周囲は、防護体７０の側壁７２で囲まれるようになる。そのため、千鳥状をなして配置されたコネクタ５０の側面５１、基板カバー３３の遮蔽片８１、及び防護体７０の側壁７２により、メイン制御基板２３の配線パターンに対する配線の短絡や、不正な部品の接続等が防止される。
【００７３】
また、防護体７０（図６（ｂ）参照）を使用した場合には、メイン制御基板２３（図５参照）のコネクタの配置が異なっても、コネクタの配置に合わせた防護体７０を用意しておけば、基板カバー３３（図４参照）を共通化することができる。そのため、基板カバー３３の生産性や経済性等を向上させることができる。
【００７４】
（第２実施形態）
第２実施形態の遊技機の制御装置３０は、図４に示す第１実施形態の遊技機の制御装置３０と同様に、メイン制御基板２３を基板カバー３３の内部に収容したものである。
しかし、第１実施形態の遊技機の制御装置３０は、図７に示すように、基板カバー３３の開口部３４の口縁に遮蔽片８１のみを形成しているのに対し、第２実施形態の遊技機の制御装置３０では、この遮蔽片８１を囲繞する補助遮蔽片を有している点が相違する。
【００７５】
図８は、第２実施形態の遊技機の制御装置３０を示す部分断面図であり、メイン制御基板２３を基板カバー３３の内部に収容した状態を示す図である。
図８に示すように、コネクタ４０を防護体６０の上面開口部６１に挿入してメイン制御基板２３に装着すると、防護体６０が固定されるとともに、コネクタ４０の側面４１が防護体６０の側壁６２によって囲繞される。
【００７６】
そして、図８に示すように、防護体６０を介してコネクタ４０が実装されたメイン制御基板２３を基板カバー３３の内部に収容すると、基板カバー３３の遮蔽片８１がコネクタ４０の側面４１と防護体６０の側壁６２との間に挿入される。また、基板カバー３３の補助遮蔽片８２が防護体６０の側壁６２の外周側に位置するようになるので、防護体６０の側壁６２が遮蔽片８１と補助遮蔽片８２との間に挿入される。
【００７７】
そのため、基板カバー３３の開口部３４の周辺では、図８に示すように、上向きのコネクタ４０の側面４１と、下向きの基板カバー３３の遮蔽片８１と、上向きの防護体６０の側壁６２と、下向きの基板カバー３３の補助遮蔽片８２とが交互に存在することとなる。そして、コネクタ４０の側面４１と基板カバー３３の遮蔽片８１との隙間、遮蔽片８１と防護体６０の側壁６２との隙間、及び側壁６２と基板カバー３３の補助遮蔽片８２との隙間は、それぞれ２ｍｍ以下の狭い間隔となっている。
【００７８】
したがって、第２実施形態の遊技機の制御装置３０は、基板カバー３３の開口部３４から針金等を挿入したとしても、千鳥状をなして配置されたコネクタ４０の側面４１、基板カバー３３の遮蔽片８１、防護体６０の側壁６２、及び基板カバー３３の補助遮蔽片８２の間をくぐり抜けて行かなければ、基板カバー３３の内部に収容されたメイン制御基板２３に到達することができない。その結果、第１実施形態の遊技機の制御装置３０よりも障壁が１つ多くなり、メイン制御基板２３にプリントされた配線パターンに対する配線の短絡や、不正な部品の接続等が一層確実に防止される。
【００７９】
なお、基板カバー３３の補助遮蔽片８２と防護体６０の側壁６２との間の隙間は、基板カバー３３の遮蔽片８１とコネクタ４０の側面４１との隙間等と同様に、基板カバー３３の回転半径に応じたものとなっている。そのため、基板カバー３３を閉じた際に、基板カバー３３の補助遮蔽片８２と防護体６０の側壁６２とが衝突することはない。
【００８０】
以上、本発明の２つの実施形態について説明したが、本発明は、上述した実施形態に限定されることなく、例えば、以下のような種々の変形が可能である。
（１）上述した実施形態の遊技機の制御装置３０は、遊技機の１つとして、図柄変動表示装置を有する弾球遊技機１０に適用した例を示したが、このような弾球遊技機１０には限られない。すなわち、図柄を表示したリールを有するスロットマシンに適用し、メイン制御基板２３がリールの回転を制御するものであっても良い。また、アレンジボール、雀球遊技機等の種々の遊技機にも広く適用することができる。
【００８１】
（２）上述した各実施形態では、基板カバー３３の内部に収容する制御基板として、メイン制御基板２３を例に挙げたが、これに限られることなく、遊技機を制御する制御基板であれば、いかなるものであっても良い。例えば、サブ制御基板、球搬出制御基板、液晶等の画像を制御する画像制御基板等であっても良い。
【００８２】
（３）上述した各実施形態では、防護体６０及び防護体７０をアルミの成形品としているが、これに限られることなく、各種の金属、樹脂等を使用することができる。特に、透明樹脂からなる防護体６０又は防護体７０とすれば、防護体６０又は防護体７０の周囲も外部から透視できるようになる。
【産業上の利用可能性】
【００８３】
本発明の遊技機の制御装置は、収容体の内部の制御基板に対する不正な操作を確実に防止することができ、しかも、収容体の組立性等を大幅に向上させることができる。そのため、弾球遊技機、スロットマシン、アレンジボール、雀球遊技機等の種々の遊技機に広く適用することができる。
【図面の簡単な説明】
【００８４】
【図１】本発明の遊技機の制御装置を適用した弾球遊技機１０の表面側（遊技者側）を示す正面図である。
【図２】本発明の遊技機の制御装置を適用した弾球遊技機１０の裏面側を示す正面図である。
【図３】第１実施形態の遊技機の制御装置３０を示す斜視図であり、基板ベース３１に対して、基板カバー３３が開いた状態を示す図である。
【図４】第１実施形態の遊技機の制御装置３０を示す斜視図であり、基板ベース３１に対して、基板カバー３３を閉じた状態を示す図である。
【図５】第１実施形態の遊技機の制御装置３０に使用するメイン制御基板２３を示す斜視図である。
【図６】第１実施形態の遊技機の制御装置３０に使用する防護体６０及び防護体７０を示す斜視図である。
【図７】第１実施形態の遊技機の制御装置３０を示す部分断面図であり、メイン制御基板２３を基板カバー３３の内部に収容した状態を示す図である。
【図８】第２実施形態の遊技機の制御装置３０を示す部分断面図であり、メイン制御基板２３を基板カバー３３の内部に収容した状態を示す図である。
【図９】従来の遊技機の制御装置に使用するメイン制御基板２３の一例を示す斜視図である。
【図１０】従来の遊技機の制御装置３０を示す平面図である。
【符号の説明】
【００８５】
１０  弾球遊技機
１１  遊技領域
１２  図柄変動表示装置
１３  特定入賞口
１４  大入賞口
１５  アウト口
２１  賞球タンク
２２  電源ユニット
２３  メイン制御基板（制御基板）
２４  球搬出制御基板
２５  サブ制御基板
３０  制御装置
３１  基板ベース（支持体）
３１ａ，３１ｂ，３１ｃ，３１ｄ  側壁
３１ｅ  ロックボックス
３２  リブ
３３  基板カバー（収容体）
３３ａ，３３ｂ，３３ｃ，３３ｄ  側壁
３３ｅ  ロックボックス
３４  開口部
３５  ヒンジ
３６  把持突起
３７  嵌合フック
３８  嵌合突起
３９  ロック部材
３９ａ  ベースロック爪
３９ｂ  カバーロック爪
４０  コネクタ
４１  側面
４２  上面
５０  コネクタ
５１  側面
５２  上面
６０  防護体
６１  上面開口部
６２  側壁
６３  下面開口部
６４  固定片
７０  防護体
７１  上面開口部
７２  側壁
７３  下面開口部
７４  固定片
８１  遮蔽片
８２  補助遮蔽片
【図１】
2006081559.tif 000003
【図２】
2006081559.tif 000004
【図３】
2006081559.tif 000005
【図４】
2006081559.tif 000006
【図５】
2006081559.tif 000007
【図６】
2006081559.tif 000008
【図７】
2006081559.tif 000009
【図８】
2006081559.tif 000010
【図９】
2006081559.tif 000011
【図１０】
2006081559.tif 000012